(57)【要約】【課題】窓据付型の空気調和機を据え付けた窓の防犯性を向上させる。【解決手段】窓に面して設置され、この窓を開けることで室外側熱交換器を外気に開放する窓据付型空気調和機に於いて、空気調和機内に警報装置３７を設け、空気調和機の側面に棒２９の引き抜きにより作動するスイッチ３０を備え、窓には係止具３５を取り付け、前記棒２９の端部と係止具３５を紐又は鎖等の接続具３６によって接続し、通常運転状態よりも窓が開かれた時には前記棒２９が引き抜かれることでスイッチ３０を作動し、前記警報装置３７が作動するようにしたものである。【選択図】図１
2007315673.tif 000002
【特許請求の範囲】
【請求項１】
窓に面して設置され、この窓を開けることで室外側熱交換器を外気に開放する窓据付型空気調和機に於いて、空気調和機に警報装置を設け、通常運転状態よりも窓が開かれた時に、前記警報装置が作動することを特徴とする窓据付型空気調和機。
【請求項２】
前記警報装置は空気調和機の制御回路に組み込まれ、警報装置の電源は空気調和機の電源であることを特徴とする請求項１記載の窓据付型空気調和機。
【発明の詳細な説明】
【技術分野】
【０００１】
この発明は、窓にその背面を室外に突出せずに設置され、設置された状態で前記窓を開閉し得るようにした窓据付型空気調和機に関するものである。
【背景技術】
【０００２】
従来例として、空気調和機内にショートサーキットの警報装置を設け、誤って空気調和機の背後の窓を閉めたまま運転を行った場合に、室外吹出口と室外吸込口の間でショートサーキットが発生し、凝縮器からの排熱ができなくなるために冷凍回路全体が過熱されることで発生する故障を防止するために、ショートサーキットが発生した場合に、前記ショートサーキットの警報装置を作動すると共に圧縮機を停止するものだった。（例えば、特許文献１参照）
【特許文献１】実開平５−１９８３６５号公報
【発明の開示】
【発明が解決しようとする課題】
【０００３】
そして、この種の空気調和機は室外側の吸排気（凝縮器の排熱）を行うことが必要なために、運転状態では空気調和機背後の窓を開放し、この半開き窓の位置よりも窓が開かないようにするため、空気調和機の設置時に半開きの状態で窓を固定する簡易的な鍵を取り付けているが、防犯上の不安が残るものであった。
【０００４】
また、空気調和機とは関係せずに、単に窓に取り付けられ、窓が開けられた場合にブザー等の警報を発する警報機は多数市販されているが電源が乾電池であるために、常に乾電池の消耗を点検する必要が有り。乾電池が消耗している場合には警報機の用を成さないものであった。
【課題を解決するための手段】
【０００５】
この発明はこの点に着目し、上記欠点を解決する為、特にその構成を、窓に面して設置され、この窓を開けることで室外側熱交換器を外気に開放する窓据付型空気調和機に於いて、空気調和機に警報装置を設け、通常運転状態よりも窓が開かれた時に、前記警報装置が作動するものである。
【０００６】
また、前記警報装置は空気調和機の制御回路に組み込まれ、警報装置の電源は空気調和機の電源であるものである。
【発明の効果】
【０００７】
この発明によれば、前記鍵は簡易的なもので有るので万一壊れたり、外れたりして引き戸が開けられた場合でも使用者にブザー等の警報音によって危険を知らせことができる。また、警報装置は空気調和機の電源を使用しているので電池の点検をする必要がなく、窓が通常運転で必要な幅以上に開放された場合には警報を発することで、賊の侵入を防止することができるものであり、電池切れによって警報装置が作動しない事態は発生しないものである。
【発明を実施するための最良の形態】
【０００８】
次に、この発明に係る空気調和機を図面に示された一実施例で説明する。
１はベ−スでこのベ−ス１上に圧縮機２及び電装部３等を収納する機械室４が設けられている。
５は前面パネルで、前面中央にスリット状縦長に設けた室内吸込口６と、この吸込口６の右隣に縦長の室内吹出口７を備えている。
【０００９】
前記室内吹出口７の下方には運転スイッチ８や室温設定スイッチ９等のスイッチ類やリモコン（図示せず）の受信部１０を備えた操作部１１を設けている。
【００１０】
前記前面パネル５内の機械室４上方は、中央の隔壁１２によって室内側と室外側に仕切られ、室内側には蒸発器１３、室内ファン１４等が設けられ、前記室内吸込口６と蒸発器１３と室内ファン１４と室内吹出口７を連通して室内通風路１５が形成され、室外側には凝縮器１６、室外ファン１７等が設けられ、背面に設けた室外吸込口１８と前記凝縮器１６と室外ファン１７と室外吹出口１９を連通して室外通風路２０を形成している。
また前記機械室４と室内通風路１５は上下仕切板２１によって隔てられ、この上下仕切板２１上に室内モータ２２やドレンパン（図示せず）を固定している。
【００１１】
２３は前記室外吸込口１８の近傍に設けられた外気温センサで、屋外空気の温度をサーミスタセンサ等によって感知するものである。
２４は前記室内吸込口６の内側の室内通風路１５に設けられた室温センサで、室内空気の温度をサーミスタセンサ等によって感知するものである。
【００１２】
前記電装部３にはマイコン等から成る制御回路２５を備え、この制御回路２５の入力側には、前記運転スイッチ８及び希望する設定室温をセットする室温設定スイッチ９や外気温センサ２３や室温センサ２４が接続されている。
【００１３】
２６は空気調和機の据え付けられる窓枠で、アルミサッシ等から成り、引き戸式の右側引き戸２７と左側引き戸２８がセットで窓の開口を開閉するものである。
【００１４】
前記前面パネル５の左右側面の内側には棒２９の抜き差しによって作動する防犯スイッチ３０をそれぞれ設け、この防犯スイッチ３０から前記制御回路２５にリード線が接続されている。そして制御回路２５内にはマイコン３１とメモリ３２、入力回路３３、出力回路３４を備えている。
前記引き戸２７・２８には係止具３５が接着剤やネジにより固定され、この係止具３５と棒２９が紐又は鎖等から成る接続具３６によって、空気調和機の運転状態で引き戸２７・２８が半開きの状態のに長さを調整して接続されている。そして前記出力回路３４にブザー等の警報装置３７が接続され、通常運転状態よりも大きく窓が開かれた時には前記棒２９が引き抜かれることでスイッチ３０を作動し、前記警報装置３５が作動してブザーが鳴り響くことで賊の侵入を防止するものである。
【００１５】
３８は空気調和機据付時に引き戸２７・２８の縁にネジ等によって取り付けられる簡易的な鍵であり、プラスチック製の蝶つがい等で構成され、運転時の空気調和機背後の窓を半開きの状態で固定するため、防犯上の不安が残るものであった。
３９は前記制御回路２５内に備えた室温制御手段で、前記室温設定スイッチ９にて設定された設定室温と室温センサ２４にて検知された現在室温との温度差に応じて、圧縮機２をＯＮ−ＯＦＦ運転することで室温の調節を行うものである。
４０は据付枠で上下を窓枠２６にネジ等で固定した後、空気調和機を取り付けるものであり、空気調和機の上部は閉塞板４１によって閉じられるものである。
４２は前記室外ファン１７を駆動する室外モータである。
【００１６】
図１、図５は窓枠２６の右端に空気調和機を据え付けた場合を示すものである。空気調和機停止時には左右の引き戸２７・２８を全て閉じて通常の戸締まりが行える。空気調和機運転時には右側引き戸２７を空気調和機の背面に対向する部分だけ開放し半開き状態にする、次に鍵３８によって半開き状態で左右の引き戸２７・２８を固定する。そして空気調和機の左側に備えた防犯スイッチ３０と左側引き戸２８に取り付けられた係止具３５を紐状の接続具３６で接続する。
【００１７】
鍵３８が壊れたり、破壊されて左右の引き戸２７・２８が通常運転状態よりも大きく窓が開かれた時には接続具３６によって前記棒２９が引き抜かれることでスイッチ３０を作動し、前記警報装置３５が作動してブザーが鳴り響くことで賊の侵入を防止するものである。
【００１８】
図７は窓枠２６の左端に空気調和機を据え付けた場合を示すものである。もちろん空気調和機停止時には左右の引き戸２７・２８を全て閉じて通常の戸締まりが行える。空気調和機運転時には左側引き戸２８を空気調和機の背面に対向する部分だけ開放し半開き状態にする、次に鍵３８によって半開き状態で左右の引き戸２７・２８を固定する。そして右側引き戸２７と左側引き戸２８それぞれに係止具３５を取り付けるが、右側引き戸２７に取り付けられた係止具３５は貫通穴が設けられ、空気調和機の右側に備えた防犯スイッチ３０に一端を接続された接続具３６は、右側引き戸２７に取り付けられた係止具３５の貫通穴を貫通して、左側引き戸２８の係止具３５に取り付けられる。
【００１９】
そして右側据付の場合と同様に、鍵３８が壊れたり、破壊されて左右の引き戸２７・２８が通常運転状態よりも大きく窓が開かれた時には接続具３６によって前記棒２９が引き抜かれることでスイッチ３０を作動し、前記警報装置３５が作動してブザーが鳴り響くことで賊の侵入を防止するものである。
【００２０】
前記鍵３８が万一壊れたり、外れたりして引き戸が開けられた場合でも使用者にブザー等の警報音によって危険を知らせことができる。また、警報装置３７は空気調和機の電源を使用しているので電池の点検をする必要がなく、窓が通常運転で必要な幅以上に開放された場合には警報を発することで、賊の侵入を防止することができるものであり、電池切れによって警報装置が作動しない事態は発生しないものである。
【００２１】
また従来から使用されているショートサーキットの警報装置の回路構成を兼用することで、比較的安価に新規の機能を取り付けることができるものである。
【図面の簡単な説明】
【００２２】
【図１】この発明一実施例の斜視図。
【図２】同電気回路図。
【図３】同平面の断面図。
【図４】同側面の断面図。
【図５】同窓に据え付けた状態の平面図。
【図６】同要部拡大断面図。
【図７】同窓に据え付けた状態の平面図。
【符号の説明】
【００２３】
２９  棒
３０  防犯スイッチ
３５  係止具
３６  接続具
３７  警報装置
３８  鍵
【図１】
2007315673.tif 000003
【図２】
2007315673.tif 000004
【図３】
2007315673.tif 000005
【図４】
2007315673.tif 000006
【図５】
2007315673.tif 000007
【図６】
2007315673.tif 000008
【図７】
2007315673.tif 000009